(57)【要約】      （修正有）【課題】ユニットハウスの基礎を垂直に支持し、高さを自由に調整することができるユニットハウス用基礎の高さ調整機構を提供する。【解決手段】ユニットハウスＰ設置用の地盤に水平に載置する敷き鉄板１を設ける。一対のＬ型鋼を平行に並べて敷き鉄板１に溶接し、固定アングル２を設け、固定アングル相互間に、支持杆体３又は床梁Ｐ１下端部を嵌合する。固定アングル２の側面に高さの異なるボルト挿通孔２Ａと固定用ボルト挿通孔２Ｂとを開穿し、これらを選択して固定ボルトを挿通し、支持杆体３又は床梁Ｐ１を固定する。【選択図】図１
0003205992.tif 000002
【実用新案登録請求の範囲】
【請求項１】
ユニットハウスの設置用地盤に配置してユニットハウスの基礎の高さを調整するように構成したユニットハウス用基礎の高さ調整機構において、
ユニットハウス設置用の地盤に水平に載置する敷き鉄板と、一対のＬ型鋼の各水平なフランジが外側を向くように平行に並べて敷き鉄板の上面に溶接された一対の固定アングルとを備え、
該固定アングルの相互間に、ユニットハウスの床梁下端部を支持する支持杆体、又は、ユニットハウスの床梁下端部を嵌合し、固定アングルの側面に高さの異なるボルト挿通孔と固定用ボルト挿通孔とを開穿し、
これらボルト挿通孔又は固定用ボルト挿通孔を選択して挿通する固定ボルトで、支持杆体又は床梁を固定してユニットハウスの設置高を調整するように構成したことを特徴とするユニットハウス用基礎の高さ調整機構。
【請求項２】
前記支持杆体は、Ｈ形鋼の上下のフランジ間に連結板が溶接され、該連結板に長孔を開穿し、前記固定アングルのボルト挿通孔から該長孔を挿通する固定ボルトにて前記固定アングルに支持杆体を高さ調整自在に固定するように構成した請求項１記載のユニットハウス用基礎の高さ調整機構。
【請求項３】
前記ユニットハウスの床梁に固定金物を装着し、該固定金物に長孔を開穿し、該長孔と前記固定アングルの前記ボルト挿通孔とを挿通する固定ボルトにて前記固定アングルにユニットハウスの床梁を固定するように構成した請求項１記載のユニットハウス用基礎の高さ調整機構。
【考案の詳細な説明】
【技術分野】
【０００１】
本考案は、ユニットハウスの基礎の高さを自由に調整することができるユニットハウス用基礎の高さ調整機構に関するものである。
【背景技術】
【０００２】
工場で生産し、現地で組み立てるユニットハウスや仮設建物では、躯体の設置や解体を容易にするために、鋼製基礎の上に仮設建物を設置する構造が提案されている。
【０００３】
特許文献１において、仮設建物の下面に、建物の床面積よりも多少大きい寸法の鋼板を位置させ、鋼板と建物床下面との間には高さ調整装置を介在し、さらに鋼板と建物との間に締結部材を介することで、設置や解体を自在にした仮設建物の構造が記載されている。この構造によると、地盤に多少の傾斜がある場合でも、その面に敷設した鋼板の高さ調整部材によって、建物を水平に設置することが可能であるというものである。
【０００４】
また、特許文献２には、コンクリート基礎の上に建築物を建てる際に使用する束柱に関する構成が記載されている。この束柱は、Ｈ鋼で作成した束柱下部の箱体と、該箱体の両側面に取り付ける束柱上部の２個のＬアングルとを備え、該Ｌアングルに高さ調整用の長穴を形成したものである。このような構成により、長穴の範囲でＬアングルの高さを調整できるので、大引の下にこの束柱を入れることにより、任意の高さの束柱として使用できるというものである。
【先行技術文献】
【特許文献】
【０００５】
【特許文献１】特許第３７８１５４７号公報
【特許文献２】実用新案登録第３０８９９６５号公報
【考案の概要】
【考案が解決しようとする課題】
【０００６】
ところが、特許文献１に記載の仮設建物の構造では、常に建物の床面積よりも大きい鋼板を準備する必要があるので、面積の大きな鋼板の設置作業、運搬作業、保存作業において、常に巨大なスペースを要することになる。しかも、大きな鋼板の製造コストにより、仮設建物の設置コストも高くなるなど、多くの課題が生じる。
【０００７】
一方、特許文献２に記載の構成は、コンクリート基礎等の上に建築物を建てる束柱を支持するものであり、設置地盤は既にコンクリートにて固められている。したがって、束柱下部の箱体を支持する基盤は、この箱体よりもわずかに面積の広い基盤で支持することが可能になっている。
【０００８】
しかしながら、ユニットハウスの設置場所にはコンクリート基礎等がないので、傾斜がある状態など地盤の環境が悪い場合は、ユニットハウスを垂直に支持することが困難になる。
【０００９】
そこで本考案は、上述の課題を解消すべく案出されたもので、ユニットハウスを設置する際に、地盤の環境が悪い状態でも、ユニットハウスを垂直に支持し、高さを自由に調整することができるユニットハウス用基礎の高さ調整機構の提供を目的とするものである。
【課題を解決するための手段】
【００１０】
上述の目的を達成すべく本考案における第１の手段は、
ユニットハウスＰの設置用地盤に配置してユニットハウスの基礎の高さを調整するように構成したユニットハウス用基礎の高さ調整機構において、
ユニットハウスＰ設置用の地盤に水平に載置する敷き鉄板１と、
一対のＬ型鋼の各水平なフランジが外側を向くように平行に並べて敷き鉄板１の上面に溶接された一対の固定アングル２とを備え、
該固定アングル２の相互間に、ユニットハウスＰの床梁Ｐ１下端部を支持する支持杆体３、又は、ユニットハウスＰの床梁Ｐ１下端部を嵌合し、
固定アングル２の側面に高さの異なるボルト挿通孔２Ａと固定用ボルト挿通孔２Ｂとを開穿し、これらボルト挿通孔２Ａ又は固定用ボルト挿通孔２Ｂを選択して挿通する固定ボルト４で、支持杆体３又は床梁Ｐ１を固定してユニットハウスＰの設置高を調整するように構成したことにある。
【００１１】
第２の手段において、前記支持杆体３は、Ｈ形鋼の上下のフランジ３Ａ間に連結板３Ｂが溶接され、該連結板３Ｂに長孔３Ｃを開穿し、前記固定アングル２のボルト挿通孔２Ａから該長孔３Ｃを挿通する固定ボルト４にて前記固定アングル２に支持杆体３を高さ調整自在に固定するように構成したものである。
【００１２】
第３の手段は、前記ユニットハウスＰの床梁Ｐ１に固定金物７を装着し、該固定金物７に長孔７Ａを開穿し、該長孔７Ａと前記固定アングル２の前記ボルト挿通孔２Ａとを挿通する固定ボルト４にて前記固定アングル２にユニットハウスＰの床梁Ｐ１を固定するように構成している。
【考案の効果】
【００１３】
請求項１のごとく、ユニットハウスＰ設置用の地盤に水平に載置する敷き鉄板１と、一対のＬ型鋼の各水平なフランジが外側を向くように平行に並べて敷き鉄板１の上面に溶接された一対の固定アングル２とを備え、固定アングル２の相互間に、ユニットハウスＰの床梁Ｐ１下端部を支持する支持杆体３、又は、ユニットハウスＰの床梁Ｐ１下端部を嵌合し、固定アングル２の側面に高さの異なるボルト挿通孔２Ａと固定用ボルト挿通孔２Ｂとを開穿し、これらボルト挿通孔２Ａ又は固定用ボルト挿通孔２Ｂを選択して挿通した固定ボルト４で、支持杆体３又は床梁Ｐ１を高さ調整自在に固定するように構成したことにより、ユニットハウスを設置する際に、地盤の環境が悪い状態でも、ユニットハウスを垂直に支持し、高さを自由に調整することができる。
【００１４】
請求項２のように、支持杆体３の構成として、Ｈ形鋼の上下のフランジ３Ａ間に連結板３Ｂが溶接され、該連結板３Ｂに長孔３Ｃを開穿し、固定アングル２のボルト挿通孔２Ａから該長孔３Ｃを挿通する固定ボルト４にて固定アングル２に支持杆体３の高さを調整自在に固定するように構成しているので、Ｈ形鋼を使用した支持杆体３によって、ユニットハウスＰの床梁Ｐ１を強固に支持することができる。
【００１５】
請求項３のように、ユニットハウスＰの床梁Ｐ１に固定金物７を装着し、該固定金物７に長孔７Ａを開穿し、該長孔７Ａと前記固定アングル２の前記ボルト挿通孔２Ａとを挿通する固定ボルト４にて前記固定アングル２にユニットハウスＰの床梁Ｐ１を固定するように構成しているので、支持杆体３を介さずに、ユニットハウスＰの床梁Ｐ１を直接支持することができる。この結果、イベントなどに使用するユニットハウスＰのように、低床のユニットハウスＰを支持することも可能になる。
【００１６】
このように、本考案によると、ユニットハウスを設置する際に、地盤の環境が悪い状態でも、ユニットハウスを垂直に支持し、高さを自由に調整することができるなどといった当初の目的を達成した。
【図面の簡単な説明】
【００１７】
【図１】本考案に支持杆体を固定した状態を示す斜視図である。
【図２】本考案に支持杆体を固定する状態を示す分解斜視図である。
【図３】固定アングルと支持杆体とを示す端面図である。
【図４】固定アングルと支持杆体とを示す側面図である。
【図５】固定アングルに支持杆体を固定した一実施例を示す断面図である。
【図６】固定アングルに支持杆体を固定した他の実施例を示す断面図である。
【図７】固定アングルに支持杆体を固定した他の実施例を示す断面図である。
【図８】固定アングルに支持杆体を固定した他の実施例を示す断面図である。
【図９】本考案に床梁を固定した状態を示す斜視図である。
【図１０】固定アングルに床梁を固定した一実施例を示す断面図である。
【図１１】固定アングルに床梁を固定した他の実施例を示す断面図である。
【考案を実施するための形態】
【００１８】
以下、本考案の実施の形態を説明する。本考案は、工場で生産し、現地で組み立てるユニットハウスＰを設置する際に使用する鋼製基礎の高さを自由に調整する高さ調整機構に関するものである。
【００１９】
本考案の主な構成は、敷き鉄板１と固定アングル２と支持杆体３とを備えたものである（図１参照）。敷き鉄板１は、ユニットハウスＰ設置用の地盤に水平に載置する厚手の金属板である。図示例では、ユニットハウスＰの妻側床梁Ｐ１の下に沿って配置する帯状の敷き鉄板１を使用している。一般に使用されている敷き鉄板１は、板厚22mmのものが多く使用されているが、敷き鉄板１の厚みは任意に設定することができる。また、敷き鉄板１の寸法や形状も設置条件により種々選択できるものである。
【００２０】
固定アングル２は、一対のＬ型鋼を使用するもので、各Ｌ型鋼の水平なフランジが外側を向くように並べられ、敷き鉄板１の上面に平行に溶接した構成を成している（図３参照）。この固定アングル２の側面には、高さの異なるボルト挿通孔２Ａと固定用ボルト挿通孔２Ｂとを開穿し、これらボルト挿通孔２Ａ又は固定用ボルト挿通孔２Ｂを選択して固定ボルト４を挿通する（図４参照）。また、このボルト挿通孔２Ａの近くには、敷き鉄板１を吊り上げるための吊り孔２Ｃも開穿している。
【００２１】
この固定アングル２の間に、支持杆体３又はユニットハウスＰの床梁Ｐ１下端部を嵌合し、固定ボルト４にて固定する（図５参照）。図示例では、固定アングル２の対向面をずらして敷き鉄板１上に溶接することで、支持杆体３や床梁Ｐ１の装着を容易にしている（図２参照）。
【００２２】
支持杆体３は、固定アングル２の相互間に嵌合し、ユニットハウスＰの床梁Ｐ１を支持する支持部材である（図５参照）。この支持杆体３は、Ｈ形鋼にて設けられている（図１参照）。すなわち、Ｈ形鋼の上下のフランジ３Ａ間に連結板３Ｂを溶接したものである（図２参照）。この連結板３Ｂには、固定ボルト４を挿通する長孔３Ｃを開穿している。そして、固定アングル２のボルト挿通孔２Ａから長孔３Ｃを挿通した固定ボルト４にて固定アングル２と支持杆体３とを固定する（図４参照）。図示例では、連結板３Ｂの長孔３Ｃと共に、固定孔３Ｄを開穿している。この固定孔３Ｄは、敷き鉄板１上に直接支持杆体３を載置する際に、固定ボルト４を挿通して支持杆体３を固定する（図５参照）。
【００２３】
支持杆体３の高さを微調整するには、支持杆体３の下端部にレベル調整材６を敷設して調整する（図６乃至図８参照）。このレベル調整材６は、例えば、金属板６Ａを重ねて使用するもの（図６参照）。角筒状のかさ上げ金物６Ｂを使用するもの（図７参照）。更に、別のＨ形鋼６Ｃを使用するもの（図８参照）、など任意に選択することができる。そして、これらのレベル調整材６ごと支持杆体３を固定アングル２の間に嵌合して支持杆体３の高さを微調整する。一方、支持杆体３の上面にて支持する床梁Ｐ１は、アンカーボルト５にて支持杆体３に固定するものである（図５乃至図８参照）。
【００２４】
一方、支持杆体３を使用せずに、ユニットハウスＰの床梁Ｐ１を直接固定アングル２に固定することも可能である（図１０参照）。この場合、床梁Ｐ１に予め固定金物７を装着しておく（図９参照）。この固定金物７には長孔７Ａが開穿されており、この長孔７Ａと固定アングル２のボルト挿通孔２Ａとを挿通する固定ボルト４にて固定アングル２に床梁Ｐ１を固定するものである（図１０参照）。
【００２５】
また、床梁Ｐ１の下にレベル調整材６を配置して固定アングル２に固定することも可能である（図１１参照）。この場合、屋根梁Ｐ２の設置高の微調整が可能になる。更に、レベル調整材６の種類も任意に選択することができる。
【００２６】
尚、本考案高さ調整機構は図示例に限定されるものではなく、敷き鉄板１、固定アングル２、支持杆体３、レベル調整材６等の構成や形状は任意に変更することができる。また、本考案の要旨を変更しない範囲での設計変更は自由に行える。
【符号の説明】
【００２７】
Ｐ  ユニットハウス
Ｐ１  床梁
１  敷き鉄板
２  固定アングル
２Ａ  ボルト挿通孔
２Ｂ  固定用ボルト挿通孔
２Ｃ  吊り孔
３  支持杆体
３Ａ  フランジ
３Ｂ  連結板
３Ｃ  長孔
４  固定ボルト
５  アンカーボルト
６  レベル調整材
６Ａ  金属板
６Ｂ  かさ上げ金物
６Ｃ  Ｈ形鋼
７  固定金物
７Ａ  長孔
【図１】
0003205992.tif 000003
【図２】
0003205992.tif 000004
【図３】
0003205992.tif 000005
【図４】
0003205992.tif 000006
【図５】
0003205992.tif 000007
【図６】
0003205992.tif 000008
【図７】
0003205992.tif 000009
【図８】
0003205992.tif 000010
【図９】
0003205992.tif 000011
【図１０】
0003205992.tif 000012
【図１１】
0003205992.tif 000013